(57)【要約】【課題】【解決手段】本発明は体験共有システムに係り、人の間に多様な体験を共有することができるようにする体験共有システムに関する。本発明の実施形態は、カメラを備え、前記カメラを介して撮影されたカメラ映像を無線送信するスマートめがねと、前記スマートめがねからカメラ映像を受信して仮想現実映像として出力するＶＲ機器とを含む。【選択図】  図１
2020506565.tif 000002
【特許請求の範囲】
【請求項１】
カメラを備え、前記カメラを介して撮影されたカメラ映像を無線送信するスマートめがねと、
前記スマートめがねからカメラ映像を受信して仮想現実映像として出力するＶＲ機器と、
を含む、体験共有システム。
【請求項２】
カメラを備え、前記カメラを介して撮影されたカメラ映像を無線送信するスマートめがねと、
前記スマートめがねからカメラ映像を受信して記憶及び出力するスマートフォンと、
を含む、体験共有システム。
【請求項３】
カメラを備え、前記カメラを介して撮影されたカメラ映像を無線送信するスマートめがねと、
前記スマートめがねから受信するカメラ映像をカメラ映像メッセージとして移動通信網を介して遠隔のスマートフォンである遠隔スマートフォンに伝送する中継スマートフォンと、
前記中継スマートフォンから受信するカメラ映像を記憶及び出力する遠隔スマートフォンと、
を含む、体験共有システム。
【請求項４】
前記体験共有システムは、仮想現実映像として出力するＶＲ機器を含み、
前記遠隔スマートフォンは、前記中継スマートフォンから受信するカメラ映像メッセージからカメラ映像を抽出して前記ＶＲ機器に伝送し、
前記ＶＲ機器は、前記中継スマートフォンから受信するカメラ映像を仮想現実映像として出力する、請求項３に記載の体験共有システム。
【請求項５】
前記カメラ映像メッセージは、ヘッダーフィールドとデータフィールドを含み、
前記中継スマートフォンは、カメラ映像の観覧等級の入力を受けて前記ヘッダーフィールドに記憶し、前記スマートめがねから受信するカメラ映像をデータフィールドに記憶し、
前記遠隔スマートフォンは、前記中継スマートフォンから受信するカメラ映像メッセージから観覧等級を抽出し、遠隔スマートフォンの持ち株の等級が前記観覧等級に相当しない場合、前記中継スマートフォンから受信するカメラ映像メッセージから抽出されたカメラ映像を中継スマートフォンと無線通信で連動したＶＲ機器に伝送しないことを特徴とする、請求項４に記載の体験共有システム。
【発明の詳細な説明】
【技術分野】
【０００１】
本発明は体験共有システムに係り、より詳しくは人の間に多様な体験を共有することができるようにする体験共有システムに関する。
【背景技術】
【０００２】
現代以前の時代では未発達の科学技術のため、遊びを楽しむために人と人が交わる方式で遊び文化をなした。
【０００３】
しかし、科学技術の急激な発達によって、遊び文化も対人関係に寄り掛かるよりは科学技術が応用されたゲーム機器に寄り掛かることになり、それによって人と人の社交が足りず、次第に人々の孤立が深くなっている。
【０００４】
一方、ＩＰＴＶやインターネット／モバイルなどを用いて使用者が時間と場所にかかわらずスポーツのような放送を観覧することができる。しかし、従来の技術は単に所望の時間帯に放送を見ることができるようにインターネットとＩＰＴＶを介して放送を提供する程度にとどまる。使用者が放送を視聴する場所に限って個人の感覚と情報のみで視聴するため、臨場感又は共同観覧体感のような感覚は制限されるしかない。
【０００５】
したがって、人の間に体験を共有することができる手段の必要性が切実となっている。
【発明の概要】
【発明が解決しようとする課題】
【０００６】
本発明の技術的課題は、人の間に多様な体験を共有することができるようにする体験共有手段を提供することにある。また、本発明の技術的課題は観覧等級によって選別的に体験を共有することができる手段を提供することにある。
【課題を解決するための手段】
【０００７】
本発明の実施形態は、カメラを備え、前記カメラを介して撮影されたカメラ映像を無線送信するスマートめがねと、前記スマートめがねからカメラ映像を受信して仮想現実映像として出力するＶＲ機器とを含むことができる。
【０００８】
カメラを備え、前記カメラを介して撮影されたカメラ映像を無線送信するスマートめがねと、前記スマートめがねからカメラ映像を受信して記憶及び出力するスマートフォンとを含むことができる。
【０００９】
カメラを備え、前記カメラを介して撮影されたカメラ映像を無線送信するスマートめがねと、前記スマートめがねから受信するカメラ映像をカメラ映像メッセージとして移動通信網を介して遠隔のスマートフォンである遠隔スマートフォンに伝送する中継スマートフォンと、前記中継スマートフォンから受信するカメラ映像を記憶及び出力する遠隔スマートフォンとを含むことができる。
【００１０】
前記体験共有システムは、仮想現実映像として出力するＶＲ機器を含むことができ、前記遠隔スマートフォンは、前記中継スマートフォンから受信するカメラ映像メッセージからカメラ映像を抽出して前記ＶＲ機器に伝送することができ、前記ＶＲ機器は、前記中継スマートフォンから受信するカメラ映像を仮想現実映像として出力することができる。
【００１１】
前記カメラ映像メッセージは、ヘッダーフィールドとデータフィールドを含むことができ、前記中継スマートフォンは、カメラ映像の観覧等級の入力を受けて前記ヘッダーフィールドに記憶し、前記スマートめがねから受信するカメラ映像をデータフィールドに記憶することができ、前記遠隔スマートフォンは、前記中継スマートフォンから受信するカメラ映像メッセージから観覧等級を抽出し、遠隔スマートフォンの持ち株の等級が前記観覧等級に相当しない場合、前記中継スマートフォンから受信するカメラ映像メッセージから抽出されたカメラ映像を中継スマートフォンと無線通信で連動したＶＲ機器に伝送しなくてもよい。
【発明の効果】
【００１２】
本発明の実施形態によれば、スマートめがねとスマートフォンを用いて人の間に体験を共有することができ、紐帯感を改善させることができる。また、本発明の実施形態によれば、観覧等級による選別的観覧が可能であり、多様な事業開発が可能である。
【図面の簡単な説明】
【００１３】
【図１】本発明の第１実施例による体験共有システムの構成図である。
【図２】本発明の第２実施例による体験共有システムの構成図である。
【図３】本発明の第３実施例による体験共有システムの構成図である。
【図４】本発明の第３実施例によるＶＲ機器が付け加えられた体験共有システムの構成図である。
【図５】本発明の実施例によるカメラ映像メッセージのフレーム構造を示す図である。
【図６】本発明の実施例によって、観覧等級が全体観覧可の等級の場合、全ての遠隔スマートフォンにカメラ映像が伝送される形態を示す図である。
【図７】本発明の実施例によって、観覧等級によって選別的に遠隔スマートフォンにカメラ映像が伝送される形態を示す図である。
【発明を実施するための形態】
【００１４】
本発明は、カメラを備え、前記カメラを介して撮影されたカメラ映像を無線送信するスマートめがねと、前記スマートめがねからカメラ映像を受信して仮想現実映像として出力するＶＲ機器と、を含む体験共有システムを提供しようとするものである。
【００１５】
以下、本発明の利点及び特徴、そしてそれらを達成する方法は添付図面に基づいて詳細に後述する実施例を参照すれば明確になるであろう。しかし、本発明は以下で開示する実施例に限定されるものではなく、互いに異なる多様な形態に具現されるはずであり、本発明が属する技術分野で通常の知識を有する者に発明の範疇を完全に知らせるために提供するものであり、本発明は請求項の範疇によって定義されるだけである。また、本発明の説明において、関連の公知技術などが本発明の要旨をあいまいにすることができると判断される場合は、それについての詳細な説明は省略する。
【００１６】
本発明は人々の孤独感を解消することも科学技術に寄り掛かって連結して見ようという人本主義に従って、人と人、愛し合う恋人、親と子、先生と学生、技術者と修練者、犯罪者と被害者、能動者と被動者などの多様な当事者間の体験を共有することができるようにする。
【００１７】
互いに相手の目で世の中を一緒に見ることができるようになり、互いがどこに行っても一緒にその空間内に存在するようになるであろう。したがって、人々に対する懐かしさが解消され、愛している人ともいつでもどこでも一緒に同行することができるであろう。
【００１８】
このために、本発明は、図１に示すように、スマートめがね１００とＶＲ機器２００を含む。
【００１９】
スマートめがね１００（ｓｍａｒｔ  ｇｌａｓｓｅｓ）は、目にかけためがねのレンズにディスプレイを搭載することにより、使用者が必要なアプリを用いることができるめがねである。このようなスマートめがね１００は、近距離無線通信モジュールを備える。近距離無線通信モジュールとしては、ブルートゥース（登録商標）（Ｂｌｕｅｔｏｏｔｈ（登録商標））、ホームＲＦ（Ｒａｄｉｏ  Ｆｒｅｑｕｅｎｃｙ）及び無線ＬＡＮ（Ｗｉｒｅｌｅｓｓ  ＬＡＮ）のような無線通信方式を用いることができる。
【００２０】
本発明のスマートめがね１００は、めがねの枠にカメラモジュールを備える。好ましくは、めがね枠の正面にカメラモジュールを備えることができる。めがね着用者が見る視線方向にカメラ映像が生成されることができる。したがって、めがね着用者の視野と同一のカメラ映像が生成されることができる。
【００２１】
参考までに、カメラは、レンズアセンブリー、フィルター、光電変換モジュール、及びアナログ／デジタル変換モジュールを含むことができる。レンズアセンブリーは、ズームレンズ、フォーカスレンズ及び補償レンズを含む。フォーカスモーター（ＭＦ）の制御によってレンズの焦点距離が移動することができる。フィルターは、光学的低域通過フィルター（Ｏｐｔｉｃａｌ  Ｌｏｗ  Ｐａｓｓ  Ｆｉｌｔｅｒ）及び赤外線遮断フィルター（Ｉｎｆｒａ−Ｒｅｄ  ｃｕｔ  Ｆｉｌｔｅｒ）を含むことができる。光学的低域通過フィルター（Ｏｐｔｉｃａｌ  Ｌｏｗ  Ｐａｓｓ  Ｆｉｌｔｅｒ）で高周波成分の光学的ノイズを除去し、赤外線遮断フィルター（Ｉｎｆｒａ−Ｒｅｄ  ｃｕｔ  Ｆｉｌｔｅｒ）は入射する光の赤外線成分を遮断する。光電変換モジュールは、光学系（ＯＰＳ）からの光を電気的アナログ信号に変換させる。アナログ／デジタル変換モジュールは、光電変換モジュール（ＯＥＣ）からのアナログ信号を処理して高周波ノイズを除去し振幅を調整した後、デジタル信号に変換させてカメラ映像を生成することができる。
【００２２】
スマートめがね１００は、カメラを介して撮影されたカメラ映像をブルートゥース（登録商標）（ｂｌｕｅｔｏｏｔｈ（登録商標））通信のような近距離無線通信を介してＶＲ機器２００に伝送する。
【００２３】
ＶＲ（Ｖｉｒｔｕａｌ  Ｒｅａｌｉｔｙ）機器は、仮想現実映像（ｖｉｒｔｕａｌ  ｒｅａｌｉｔｙ  ｉｍａｇｅ）を表示する機器である。仮想現実映像とは、まるで現実のように表現した仮想世界である３次元（３Ｄ）映像を立体感及び遠近感を感じる‘錯視効果’を用いて表示する映像であり、特殊めがねがＶＲ機器２００を介することで表示することができる。仮想現実映像は、３６０度カメラで撮影した映像をヘッドセットを着用して観覧し、３Ｄ映像よりも沒入感がずっと高い。
【００２４】
したがって、ＶＲ機器２００は、スマートめがね１００からカメラ映像を受信して仮想現実映像に変換して出力する。仮想現実映像への変換は、立体映像に変換するもので、公知となった既存のＶＲ機器２００の多様な映像変換アルゴリズムを用いることができる。
【００２５】
結局、図１のような構成の下で第１使用者がスマートめがね１００を着用しており、第２使用者がＶＲ機器２００を着用していると仮定すると、スマートめがね１００を着用した第１使用者が見る視線方向の風景をＶＲ機器２００を着用した第２使用者が仮想現実映像として閲覧することができるようになる。
【００２６】
したがって、第２使用者は第１使用者が見る視野と同一の映像を共有するようになり、同じ体験を共有することができるようになる。
【００２７】
スマートめがね１００は、めがね枠にカメラモジュールを備える。好ましくは、めがね枠の正面にカメラモジュールを備えることができる。スマートめがね１００は、カメラを介して撮影されたカメラ映像をブルートゥース（登録商標）（ｂｌｕｅｔｏｏｔｈ（登録商標））通信のような近距離無線通信を介してＶＲ機器２００に伝送する。
【００２８】
スマートフォン３００は、スマートめがね１００からカメラ映像を近距離無線通信（ブルートゥース（登録商標）通信）を介して受信し、メモリに記憶して画面に出力する移動通信モジュールである。参考までに、ここで、スマートフォン３００（ｓｍａｒｔｐｈｏｎｅ）とは携帯電話にインターネット通信と情報検索などのコンピュータサポート機能を付け加えた知能型端末機であり、使用者が所望のアプリケーションを組み込むことができる。スマートフォン３００は無線インターネットを介してインターネットに直接接続するのみならずさまざまなブラウジングプログラムを用いて多様な方法で接続することができる。また、既存の携帯電話とは違い、数百余種の多様なアプリケーション（応用プログラム）を使用者が所望の通りに組み込み、追加又は削除することができ、使用者が所望のアプリケーションを直接製作することもでき、多様なアプリケーションを介して自分に相応しいインターフェースを具現することができる。
【００２９】
また、カメラ映像が記憶されるメモリは、ハードディスクドライブ（Ｈａｒｄ  Ｄｉｓｋ  Ｄｒｉｖｅ）、ＳＳＤドライブ（Ｓｏｌｉｄ  Ｓｔａｔｅ  Ｄｒｉｖｅ）、フラッシュメモリー（Ｆｌａｓｈ  Ｍｅｍｏｒｙ）、ＣＦカード（Ｃｏｍｐａｃｔ  Ｆｌａｓｈ  Ｃａｒｄ）、ＳＤカード（Ｓｅｃｕｒｅ  Ｄｉｇｉｔａｌ  Ｃａｒｄ）、ＳＭカード（Ｓｍａｒｔ  Ｍｅｄｉａ（登録商標）  Ｃａｒｄ）、ＭＭＣカード（Ｍｕｌｔｉ−Ｍｅｄｉａ  Ｃａｒｄ）又はメモリスティック（Ｍｅｍｏｒｙ  Ｓｔｉｃｋ）など、情報の入出力が可能なモジュールであり、装置の内部に備えられていることもでき、別途の装置に備えられていることもできる。したがって、スマートめがね１００から受信されるカメラ映像は、内部のメモリドライブ又は外装型のメモリカードなどに記憶することができる。
【００３０】
また、カメラ映像がスマートフォン３００の画面に表示されることによって使用者は視野映像を共有することができるようになる。
【００３１】
例えば、図２のような構成の下で、第１使用者がスマートめがね１００を着用しており、第３使用者がスマートフォン３００を所有していると仮定すると、スマートめがね１００を着用した第１使用者が見る視線方向の風景が第３使用者のスマートフォン３００の画面に映像として表示されるので、閲覧することができるようになる。したがって、第３使用者は第１使用者が見る視野と同一の映像を共有することができるようになり、同じ体験を共有することができるようになる。
【００３２】
前述した図１及び図２の体験共有システムは、スマートめがね１００から近距離無線通信範囲内にいる他の使用者が体験を共有する例を説明したものである。本発明はこれに限定されず、近距離無線通信範囲を外れた遠距離の範囲にあるスマートフォン３００又はＶＲ機器と体験を共有することができる。
【００３３】
このために、移動通信網１０、スマートめがね１００、中継スマートフォン３００ａ及び遠隔スマートフォン４００を含む。
【００３４】
移動通信網１０は中継スマートフォン３００ａと遠隔スマートフォン４００間の３Ｇ、４Ｇなどの移動通信を提供する通信網であり、基地局（ＢＴＳ；Ｂａｓｅ  Ｔｒａｎｓｃｅｉｖｅｒ  Ｓｔａｔｉｏｎ）、移動交換局（ＭＳＣ；Ｍｏｂｉｌｅ  Ｓｗｉｔｃｈｉｎｇ  Ｃｅｎｔｅｒ）及びホーム位置登録器（ＨＬＲ；Ｈｏｍｅ  Ｌｏｃａｔｉｏｎ  Ｒｅｇｉｓｔｅｒ）からなる無線移動通信網１０を用いてデータ通信を行うことができる。
【００３５】
スマートめがね１００はカメラを備え、カメラを介して撮影されたカメラ映像を近距離無線送信するモジュールである。
【００３６】
中継スマートフォン３００ａはスマートめがね１００と近距離無線通信が可能な範囲にあるスマートフォン３００である。例えば、近距離無線通信範囲が半径５０ｍの場合、スマートめがね１００から半径５０ｍ以内にあるスマートフォン３００を言う。中継スマートフォン３００ａは、スマートめがね１００から受信されるカメラ映像をカメラ映像メッセージとして移動通信網１０を介して遠隔のスマートフォン３００である遠隔スマートフォン４００に伝送する。
【００３７】
遠隔スマートフォン４００は、中継スマートフォン３００ａから受信するカメラ映像をメモリに記憶して画面に出力する。したがって、遠隔スマートフォン４００に記憶されるカメラ映像はブラックボックスの役割もすることができるようになる。
【００３８】
このように、中継スマートフォン３００ａと遠隔スマートフォン４００を活用して遠隔でも体験を共有することができる。例えば、スマートめがね１００を着用した第４使用者がソクチョにいるとき、スマートめがね１００を介して撮影されたカメラ映像をソウルにある第３使用者の遠隔スマートフォン４００に自分の中継スマートフォン３００ａを介して伝送することができる。したがって、第４使用者と第１使用者は体験を同じ映像として実時間で共有することができるようになる。
【００３９】
さらに、本発明の第３実施例による体験共有システムは、図４に示すように、仮想現実映像として出力するＶＲ機器２００を含むことができる。
【００４０】
したがって、遠隔スマートフォン４００は、中継スマートフォン３００ａから受信するカメラ映像メッセージからカメラ映像を抽出してＶＲ機器２００に伝送し、ＶＲ機器２００は中継スマートフォン３００ａから受信するカメラ映像を仮想現実映像として出力することができるようになる。
【００４１】
例えば、スマートめがね１００を着用した第１使用者がソクチョにいるとき、スマートめがね１００を介して撮影されたカメラ映像を自分の中継スマートフォン３００ａを介してソウルにある第５使用者の遠隔スマートフォン４００に伝送することができ、遠隔スマートフォン４００はＶＲ機器２００に中継することにより、第５使用者と第１使用者は同じ映像として体験を実時間で共有することができるようになる。
【００４２】
結局、このような体験の共有は以下で記載したように多様な分野で活用されることができるようになる。
【００４３】
１）存在の価値：荒んでいく存在価値に対する存在感を付与し、さびしさ及び孤独感を解消。
【００４４】
２）旅行の同行：国内及び海外旅行時、相手が見る視線で相手機器にそのまま投映及び反映。
【００４５】
３）犯罪の予防：帰宅時（女性に必要）保護者とともに帰宅。
【００４６】
４）学習の効果：互いに異なる空間にいても課外授業を進める。
【００４７】
５）登校時の観察：子供が学校に登校するとき、まともに学校に行っているか又は安全に関する問題が発生するかを観察することができ、それにふさわしい案内。
【００４８】
６）体験の効果：釣り及び山登りの趣味活動に対する体験を共有。
【００４９】
７）技術の伝授：技術者と修練者の間に、技術者の目ですぐ修練者に技術を伝授。
【００５０】
８）ブラックボックスの代替：自動車に装着されるブラックボックスを代替。
【００５１】
９）軍隊訓練の伝授：軍隊で軍人に訓練を円滑でいきいきと伝授することができる。
【００５２】
１０）ビデオ録画：録画機能によって現実をそのまま録画して記録及び保管。
【００５３】
１１）映画観覧：一人は映画館で他人は家で映画を観覧することができる。
【００５４】
１２）問題解決：解決されない問題に対する問題解決の指示を受けることができる。
【００５５】
１３）人の連結：共有機能が活性化すれば、誰とでも繋がれてその人になって見ることができる。
【００５６】
一方、スマートめがね１００で撮影されるカメラ映像が中継スマートフォン３００ａを介して複数の遠隔スマートフォン４００に伝送されるように具現することができる。この場合、無分別に全ての遠隔スマートフォン４００にカメラ映像が伝送されることは好ましくない。例えば、スマートめがね１００で撮影されるカメラ映像が大人のみ観覧することができるレベルのカメラ映像の場合、青少年が使うＶＲ機器に中継されないようにすることである。以下、図５〜図７に基づいて詳述する。
【００５７】
カメラ映像を遠隔スマートフォン４００に選別的に提供するために、カメラ映像メッセージのフレームは、図５に示すように、ヘッダーフィールドとデータフィールドを含む。
【００５８】
中継スマートフォン３００ａは、中継スマートフォン３００ａのカメラ映像の観覧等級の入力を受けてヘッダーフィールドに記憶し、スマート機器から受信されるカメラ映像をデータフィールドに記憶する。観覧等級は、１等級、２等級、３等級、全体観覧可、青少年観覧可、青少年観覧禁止などの多様な等級に相当することができる。
【００５９】
遠隔スマートフォン４００は、中継スマートフォン３００ａから受信するカメラ映像メッセージから観覧等級を抽出し、遠隔スマートフォン４００の持ち株の等級が観覧可の等級でない場合、中継スマートフォン３００ａから受信するカメラ映像メッセージから抽出されたカメラ映像を、中継スマートフォン３００ａと近距離無線通信で連動したＶＲ機器２００に伝送しない。
【００６０】
例えば、観覧等級が‘全体観覧可’の等級の場合、図６に示すように、遠隔スマートフォン４００と近距離無線通信でリンクされた全てのＶＲ機器２００にカメラ映像を伝送する。
【００６１】
一方、観覧等級が‘青少年観覧禁止’の等級の場合、図７に示すように、青少年が使用する遠隔スマートフォン４００の場合、カメラ映像をＶＲ機器２００に伝送しない。参考までに、遠隔スマートフォン４００の持ち株の等級はスマートフォン３００の内部に予め記憶されることができ、あるいは遠隔スマートフォン４００の使用者情報を活用して把握することができる。
【００６２】
上述した本発明の説明の実施例はさまざまな実施可能な例のうち当業者の理解を助けるために最も好適な例を選定して提示したもので、本発明の技術的思想が必ずしも前記実施例のみによって限定されるか制限されるものではなく、本発明の技術的思想を外れない範疇内で多様な変化、変更及び均等な他の実施例が可能なものである。
【産業上の利用可能性】
【００６３】
本発明は人々の間に多様な体験を共有することができるようにすることはもちろんのこと、観覧等級によって選別的に体験を共有することができる体験共有システム分野に適用可能である。
【図１】
2020506565.tif 000003
【図２】
2020506565.tif 000004
【図３】
2020506565.tif 000005
【図４】
2020506565.tif 000006
【図５】
2020506565.tif 000007
【図６】
2020506565.tif 000008
【図７】
2020506565.tif 000009
【国際調査報告】
2020506565.tif 000010
2020506565.tif 000011
2020506565.tif 000012
2020506565.tif 000013